【手続補正書】
【提出日】平成29年10月19日(2017.10.19)
【手続補正１】
【補正対象書類名】特許請求の範囲
【補正対象項目名】全文
【補正方法】変更
【補正の内容】
【特許請求の範囲】
【請求項１】
方法であって、
ソーシャルネットワーキング・システムと関連付けられたユーザのモバイル・コンピューティング・デバイスのオペレーティング・システムが、該モバイル・コンピューティング・デバイスの画面上にコンテンツを表示するための利用可能なタイムスロットを識別すること、
該オペレーティング・システムが、該モバイル・コンピューティング・デバイス上にインストールされた１つまたは複数のソフトウェア・アプリケーションに該利用可能なタイムスロットを通知すること、
該オペレーティング・システムが、該１つまたは複数のソフトウェア・アプリケーションの各々から、該ソフトウェア・アプリケーションに関連するコンテンツで該利用可能なタイムスロットを埋めるためのリクエストを受信することであって、該リクエストが、
該ソフトウェア・アプリケーションを示し、
該ソフトウェア・アプリケーションに関連する該コンテンツのフォーマットを示し、
該ソフトウェア・アプリケーションに関連する該コンテンツの少なくとも一部分を提供する、前記受信すること、
該オペレーティング・システムが、該リクエストのうちの１つを選択すること、
該オペレーティング・システムが、該選択したリクエストに関連する該コンテンツを、該利用可能なタイムスロット内で該選択したリクエストによって示されるフォーマットで、該モバイル・コンピューティング・デバイスの該画面上に表示すること
を含む方法。
【請求項２】
１つまたは複数のソフトウェア・アプリケーションが、前記モバイル・コンピューティング・デバイス上で現在実行されているものである、請求項１に記載の方法。
【請求項３】
前記リクエストによって提供される前記コンテンツの前記少なくとも一部分が、前記ソフトウェア・アプリケーションに関連する前記コンテンツへのリンクを含む、請求項１に記載の方法。
【請求項４】
前記リンクが、インターネット上のユニフォーム・リソース・ロケータ（ＵＲＬ）を含む、請求項３に記載の方法。
【請求項５】
前記コンテンツが、１つまたは複数の対話要素を含む、請求項１に記載の方法。
【請求項６】
前記リクエストが、
前記１つまたは複数のソフトウェア・アプリケーションの人気、
前記１つまたは複数のソフトウェア・アプリケーションの評価、
前記１つまたは複数のソフトウェア・アプリケーションに関連するパーティによって支払われた金額、
前記モバイル・コンピューティング・デバイスのユーザによる前記１つまたは複数のソフトウェア・アプリケーションとの対話の頻度、または
前記モバイル・コンピューティング・デバイスのユーザによる前記１つまたは複数のソフトウェア・アプリケーションとの対話の新しさ
のうちの１つまたは複数に少なくとも部分的に基づいて選択される、請求項１に記載の方法。
【請求項７】
前記フォーマットが、複数の所定のフォーマットのうちの１つを含む、請求項１に記載の方法。
【請求項８】
モバイル・コンピューティング・デバイスのオペレーティング・システムを具現化する１つまたは複数のコンピュータ可読な非一時的記憶媒体であって、前記オペレーティング・システムは、実行されたときに、
ソーシャルネットワーキング・システムと関連付けられたユーザのモバイル・コンピューティング・デバイスの画面上にコンテンツを表示するための利用可能なタイムスロットを識別し、
該モバイル・コンピューティング・デバイスにインストールされた１つまたは複数のソフトウェア・アプリケーションに該利用可能なタイムスロットを通知し、
該１つまたは複数のソフトウェア・アプリケーションの各々から、該ソフトウェア・アプリケーションに関連するコンテンツで該利用可能なタイムスロットを埋めるためのリクエストを受信し、ここで、該リクエストが、
該ソフトウェア・アプリケーションを示し、
該ソフトウェア・アプリケーションに関連する該コンテンツのフォーマットを示し、
該ソフトウェア・アプリケーションに関連する該コンテンツの少なくとも一部分を提供し、
該リクエストのうちの１つを選択し、
該選択したリクエストに関連する該コンテンツを、該利用可能なタイムスロット内で該選択したリクエストによって示されるフォーマットで、該モバイル・コンピューティング・デバイスの該画面上に表示するように動作可能である、１つまたは複数のコンピュータ可読な非一時的記憶媒体。
【請求項９】
前記１つまたは複数のソフトウェア・アプリケーションが、前記モバイル・コンピューティング・デバイス上で現在実行されているものである、請求項８に記載の媒体。
【請求項１０】
前記リクエストによって提供される前記コンテンツの前記少なくとも一部分が、前記ソフトウェア・アプリケーションに関連する前記コンテンツへのリンクを含む、請求項８に記載の媒体。
【請求項１１】
前記リンクが、インターネット上のユニフォーム・リソース・ロケータ（ＵＲＬ）を含む、請求項１０に記載の媒体。
【請求項１２】
前記コンテンツが、１つまたは複数の対話要素を含む、請求項８に記載の媒体。
【請求項１３】
前記リクエストが、
前記１つまたは複数のソフトウェア・アプリケーションの人気、
前記１つまたは複数のソフトウェア・アプリケーションの評価、
前記１つまたは複数のソフトウェア・アプリケーションに関連するパーティによって支払われた金額、
前記モバイル・コンピューティング・デバイスのユーザによる前記１つまたは複数のソフトウェア・アプリケーションとの対話の頻度、または
前記モバイル・コンピューティング・デバイスのユーザによる前記１つまたは複数のソフトウェア・アプリケーションとの対話の新しさ
のうちの１つまたは複数に少なくとも部分的に基づいて選択される、請求項８に記載の媒体。
【請求項１４】
前記フォーマットが、複数の所定のフォーマットのうちの１つを含む、請求項８に記載の媒体。
【請求項１５】
システムであって、
１つまたは複数のプロセッサと、
該プロセッサに結合され、該プロセッサによって実行可能な命令を含むメモリとを備え、該プロセッサは、モバイル・コンピューティング・デバイスのオペレーティング・システムの命令を実行したときに、
ソーシャルネットワーキング・システムと関連付けられたユーザのモバイル・コンピューティング・デバイスの画面上にコンテンツを表示するための利用可能なタイムスロットを識別し、
該モバイル・コンピューティング・デバイス上に搭載された１つまたは複数のソフトウェア・アプリケーションに該利用可能なタイムスロットを通知し、
該１つまたは複数のソフトウェア・アプリケーションの各々から、該ソフトウェア・アプリケーションに関連するコンテンツで該利用可能なタイムスロットを埋めるためのリクエストを受信し、ここで、該リクエストが、
該ソフトウェア・アプリケーションを示し、
該ソフトウェア・アプリケーションに関連する該コンテンツのフォーマットを示し、
該ソフトウェア・アプリケーションに関連する該コンテンツの少なくとも一部分を提供し、
該リクエストのうちの１つを選択し、
該選択したリクエストに関連する該コンテンツを、該利用可能なタイムスロット内で該選択したリクエストによって示されるフォーマットで、該モバイル・コンピューティング・デバイスの該画面上に表示するように動作可能である、システム。
【請求項１６】
前記１つまたは複数のソフトウェア・アプリケーションが、前記モバイル・コンピューティング・デバイス上で現在実行されているものである、請求項１５に記載のシステム。
【請求項１７】
前記リクエストによって提供される前記コンテンツの前記少なくとも一部分が、前記ソフトウェア・アプリケーションに関連する前記コンテンツへのリンクを含む、請求項１５に記載のシステム。
【請求項１８】
前記リンクが、インターネット上のユニフォーム・リソース・ロケータ（ＵＲＬ）を含む、請求項１７に記載のシステム。
【請求項１９】
前記コンテンツが、１つまたは複数の対話要素を含む、請求項１５に記載のシステム。
【請求項２０】
前記フォーマットが、複数の所定のフォーマットのうちの１つを含む、請求項１５に記載のシステム。
【請求項２１】
前記リクエストが、
前記１つまたは複数のソフトウェア・アプリケーションの人気、
前記１つまたは複数のソフトウェア・アプリケーションの評価、
前記１つまたは複数のソフトウェア・アプリケーションに関連するパーティによって支払われた金額、
前記モバイル・コンピューティング・デバイスのユーザによる前記１つまたは複数のソフトウェア・アプリケーションとの対話の頻度、または
前記モバイル・コンピューティング・デバイスのユーザによる前記１つまたは複数のソフトウェア・アプリケーションとの対話の新しさ
のうちの１つまたは複数に少なくとも部分的に基づいて選択される、請求項１５に記載のシステム。